(57)【要約】【課題】  カードに係る処理を、カードを破損せずに、正確に行うことができる。【解決手段】  本発明は、印刷、印刷内容の消去、情報書込み又は情報読み込み等のいずれかの処理を、カードに行うカード処理装置を行うカード処理装置に関する。そして、第１のカード処理装置は、カードに上記処理を行うカード処理ヘッドと、カードをカード処理ヘッドとの間で挟みこむ挟持ローラと、カード処理ヘッドの両脇で、挟持ローラとの間でカードを挟みこんで押圧する１対の押圧ローラとを有することを特徴とする。第２のカード処理装置は、カードを運ぶ走行路と、走行路上で、カードに処理を行うカード処理ヘッドと、走行路上でカード処理ヘッドの両脇に配置されておりカードとカード処理ヘッドとの位置関係を決める１対のガイドとを有することを特徴とする。【選択図】      図１
2011059797.tif 000002
【特許請求の範囲】
【請求項１】
印刷、印刷内容の消去、情報書込み又は情報読み込み等のいずれかの処理を、カードに行うカード処理装置において、
上記カードに上記処理を行うカード処理ヘッドと、
上記カードを上記カード処理ヘッドとの間で挟みこむ挟持ローラと、
上記カード処理ヘッドの両脇で、上記挟持ローラとの間で上記カードを挟みこんで押圧する１対の押圧ローラと
を有することを特徴とするカード処理装置。
【請求項２】
上記カードを運ぶ走行路をさらに有し、
上記カード処理ヘッドは、上記走行路上を流れる上記カードに上記処理を行い、
それぞれの上記押圧ローラには、上記カード処理ヘッドとは反対の側にフランジが形成されており、
上記フランジは、上記走行路上において、上記カード処理ヘッドが上記カードを処理する際に、上記カードと、上記カード処理ヘッドとの位置関係を決めるガイドとして機能する
ことを特徴とする請求項１に記載のカード処理装置。
【請求項３】
上記カードを運ぶ走行路をさらに有し、
上記カード処理ヘッドは、上記走行路上を流れる上記カードに上記処理を行い、
上記走行路上で、上記カード処理ヘッドの両脇に配置されており、上記カード処理ヘッドが上記カードに上記処理を行う際に、上記走行路上で、上記カードと、上記カード処理ヘッドとの位置関係を決める１対のガイドをさらに有することを特徴とする請求項１に記載のカード処理装置。
【請求項４】
上記ガイドは、上記カード処理ヘッドが上記カードに上記処理を行っていない間は、上記カードが上記走行路で走行する位置を決める走行ガイドとして機能することを特徴とする請求項３に記載のカード処理装置。
【請求項５】
上記ガイドの間のガイド幅は、上記カード処理ヘッドが上記カードに上記処理を行っている間と、行っていない間で、異なる幅に変化し、上記カード処理ヘッドが上記カードに上記処理を行っているときの第１のガイド幅は、上記カード処理ヘッドが上記カードに上記処理を行っていないときの第２のガイド幅よりも狭い幅になっていることを特徴とする請求項４に記載のカード処理装置。
【請求項６】
印刷、印刷内容の消去、情報書込み又は情報読み込み等のいずれかの処理を、カードに行うカード処理装置において、
上記カードを運ぶ走行路と、
上記走行路上で、上記カードに上記処理を行うカード処理ヘッドと、
上記走行路上で、上記カード処理ヘッドの両脇に配置されており、上記カード処理ヘッドが上記カードに上記処理を行う際に、上記走行路上で、上記カードと、上記カード処理ヘッドとの位置関係を決める１対のガイドと
を有することを特徴とするカード処理装置。
【請求項７】
上記ガイドは、上記カード処理ヘッドが上記カードに上記処理を行っていない間は、上記カードが上記走行路で走行する位置を決める走行ガイドとして機能することを特徴とする請求項６に記載のカード処理装置。
【請求項８】
上記ガイドの間のガイド幅は、上記カード処理ヘッドが上記カードに上記処理を行っている間と、行っていない間で、異なる幅に変化し、上記カード処理ヘッドが上記カードに上記処理を行っているときの第１のガイド幅は、上記カード処理ヘッドが上記カードに上記処理を行っていないときの第２のガイド幅よりも狭い幅になっていることを特徴とする請求項７に記載のカード処理装置。
【発明の詳細な説明】
【技術分野】
【０００１】
この発明は、カード処理装置に関し、例えば、印刷及び消去可能な印刷領域を有するカードに印刷された内容を消去処理する装置に適用し得る。
【背景技術】
【０００２】
現在、リライタブル可能なカード（以下、「リライトカード」という）が普及している。リライトカードとしては、例えば、書換可能な情報記録媒体（ＩＣタグや磁気ストライプ）及び印刷領域を有するカード（例えば、ポイントカードや電車の定期券など）が挙げられる。
【０００３】
従来のリライトカードの印刷領域の内容を消去する装置では、通常、消去ヘッドの対向にプラテンローラが配置され、消去ヘッドとプラテンローラによりリライトカードを挟み込み、リライトカードと消去ヘッドが均等に接触するようになっている。
【０００４】
リライトカードについて、カードの印刷領域をリライトする際（例えば、リライトカードが定期券であれば、その更新に伴う書き換え処理）には、新品のカードではなく、ユーザが使用しているカードについて消去処理を行う必要があるため、変形したカードについて消去処理を行わなければならない場合がある。変形したカードについて印刷領域の印刷内容を消去する場合は、消去ヘッドの押圧力で変形を矯正することができないため（カード破損の恐れがあるため）、リライトカードと消去ヘッドの間にエアギャップ（空間）ができ、消え残りが発生するという問題があった。
【０００５】
上述のような、変形したリライトカードでも印刷領域について印刷や消去の処理を行う装置として、特許文献１のカード用プリンタがある。特許文献１のカード用プリンタでは、リライトカードの印刷領域について印刷又は消去処理を行う際に、リライトカードに一定の曲率のカールを強制的に付与することにより、エアギャップを減少させている。
【先行技術文献】
【特許文献】
【０００６】
【特許文献１】特開２００１−８８３３１号公報
【発明の概要】
【発明が解決しようとする課題】
【０００７】
しかしながら、特許文献１に記載のカード用プリンタでは、以下のような問題点があった。
【０００８】
（１）リライトカードにカールを付与するため、リライトカードと消去ヘッドの間のエアギャップ自体を無くすことはできず、消え残りが発生する。
【０００９】
（２）リライトカードに強制的にカールを付与するほどの力を加えなければならないため、カールを付与する際にリライトカードを破損してしまう恐れがある。
【００１０】
（３）リライトカードの印刷領域が、リライトカード全体よりも狭い場合には、消去ヘッドが印刷領域以外の場所に接触すると、リライトカードが破損、溶融、汚損等してしまう恐れがある。
【００１１】
上述のような問題点を鑑み、カードに係る処理を、カードを破損せずに、正確に行うことができるカード処理装置が望まれている。
【課題を解決するための手段】
【００１２】
第１の本発明は、印刷、印刷内容の消去、情報書込み又は情報読み込み等のいずれかの処理を、カードに行うカード処理装置において、（１）上記カードに上記処理を行うカード処理ヘッドと、（２）上記カードを上記カード処理ヘッドとの間で挟みこむ挟持ローラと、（３）上記カード処理ヘッドの両脇で、上記挟持ローラとの間で上記カードを挟みこんで押圧する１対の押圧ローラとを有することを特徴とする。
【００１３】
第２の本発明は、印刷、印刷内容の消去、情報書込み又は情報読み込み等のいずれかの処理を、カードに行うカード処理装置において、（１）上記カードを運ぶ走行路と、（２）上記走行路上で、上記カードに上記処理を行うカード処理ヘッドと、（３）上記走行路上で、上記カード処理ヘッドの両脇に配置されており、上記カード処理ヘッドが上記カードに上記処理を行う際に、上記走行路上で、上記カードと、上記カード処理ヘッドとの位置関係を決める１対のガイドとを有することを特徴とする。
【発明の効果】
【００１４】
本発明によれば、カードに係る処理を、カードを破損せずに、正確に行うことができる。
【図面の簡単な説明】
【００１５】
【図１】第１の実施形態に係るカード消去部の概略縦断面図である。
【図２】第１の実施形態に係るカード処理装置の概略側面図である。
【図３】第１の実施形態に係るカード処理装置の概略平面図である。
【図４】第１の実施形態に係るリライトカードの平面図である。
【図５】第１の実施形態に係るカード消去部において、変形したリライトカードの形状が矯正される様子について示した説明図である。
【図６】第２の実施形態に係るカード消去部の概略縦断面図である。
【図７】第２の実施形態に係るカード処理装置の概略平面図である。
【図８】第３の実施形態に係るカード消去部の概略縦断面図である。
【図９】第４の実施形態に係るカード消去部の概略縦断面図である。
【図１０】第４の実施形態に係る２段ガイドブラケット正面図である。
【図１１】第４の実施形態に係る２段ガイドブラケット平面図である。
【図１２】第４の実施形態に係るカード消去部において、クランプしている場合としていない場合の状態を示した説明図である。
【発明を実施するための形態】
【００１６】
（Ａ）第１の実施形態
以下、本発明によるカード処理装置の第１の実施形態を、図面を参照しながら詳述する。
【００１７】
（Ａ−１）第１の実施形態の構成
図２、図３は、それぞれ、第１の実施形態のカード処理装置１０の概略側面図及び概略平面図であり、図４は、カード処理装置１０において、処理対象となるリライトカード４０の平面図である。
【００１８】
リライトカード４０には、長手方向に帯状に磁気ストライプ４１が配置されており、磁気ストライプ４１と同じ面に、磁気ストライプ４１とはかさならないように印刷領域４２が配置されている。磁気ストライプ４１と印刷領域４２とが最も近接する幅は短く（例えば、１．５ｍｍ程度）なっている。以下の説明では、磁気ストライプ４１と印刷領域４２とが最も近接する幅（寸法）を「幅Ｇ１」（図４参照）と呼ぶものとする。また、リライトカード４０の短手方向において、印刷領域４２の磁気ストライプ４１側の端と、磁気ストライプ４１を挟んだリライトカード４０の端までの幅を「Ｇ２」（図４参照）と呼び、リライトカード４０の短手方向の幅を「幅Ｇ３」（図４参照）と呼ぶものとする。
【００１９】
カード処理装置１０は、リライトカード４０の印刷領域４２について、少なくとも印刷内容の消去及び印刷を行うことができる装置である。図２、３においては図示を省略しているが、カード処理装置１０は、リライトカードに搭載された、情報記録媒体（ＩＣタグや磁気ストライプ４１）の記録情報を書き換える機構を別途備えるようにしても良い。
【００２０】
図２、３に示すように、カード処理装置１０は、カード消去部２０、３対のフィードローラ１０２（１０２ａ−１〜１０２ａ−３、１０２ｂ−１〜１０２ｂ−３）と、３対のプレッシャローラ１０３（１０３ａ−１〜１０３ａ−３、１０３ｂ−１〜１０３ｂ−３）、カード印刷部３０、及び３対の走行ガイド１０４（１０４ａ−１〜１０４ａ−３、１０４ｂ−１〜１０４ｂ−３）を有している。
【００２１】
なお、図２、図３においては、図示を省略しているが、カード処理装置１０には、装置全体の動作を制御する制御装置が搭載されており、カード消去部２０及びカード印刷部３０によるリライトカード４０への処理内容や、各ローラの動作に係る制御等は、その制御装置により行われる。上述の制御装置としては、既存のリライトカードを処理するカード処理装置と同様のものを適用することができるので詳しい説明は省略する。
【００２２】
フィードローラ１０２ａ−１〜１０２ａ−３、１０２ｂ−１〜１０２ｂ−３のそれぞれには、対向するプレッシャローラ１０３ａ−１〜１０３ａ−３、１０３ｂ−１〜１０３ｂ−３が配置されており、対向するフィードローラ１０２とプレッシャローラ１０３により、リライトカード４０を挟み込んで運搬する。このように、カード処理装置１０内では、フィードローラ１０２及びプレッシャローラ１０３等により、投入されたリライトカード４０を運ぶ走行路が構成されている。
【００２３】
なお、それぞれのフィードローラ１０２は、図示しないローラ駆動部により回転駆動されるものである。また、フィードローラ１０２のそれぞれの対は、同一の軸により回転駆動するようにしても良い。
【００２４】
図２においては、反対の側面からの構成に係る図示を省略しているが、フィードローラ１０２ａ−１、１０２ｂ−１の対と、プレッシャローラ１０３ａ−１、１０３ｂ−１の対とが対向し、フィードローラ１０２ａ−２、１０２ｂ−２の対と、プレッシャローラ１０３ａ−２、１０３ｂ−２の対とが対向し、フィードローラ１０２ａ−３、１０２ｂ−３の対とプレッシャローラ１０３ａ−３、１０３ｂ−３の対とが対向している。
【００２５】
また、３対の走行ガイド１０４ａ−１〜１０４ａ−３、１０４ｂ−１〜１０４ｂ−３は、リライトカード４０が運搬される走行路の両脇に配置されており、走行路上をリライトカード４０が正確に走行するようにするためのガイドである。
【００２６】
フィードローラ１０２ａ−１、１０２ｂ−１の対は、カード消去部２０の前段に配置されており、その両脇に走行ガイド１０４ａ−１、１０４ｂ−１が配置されている。フィードローラ１０２ａ−２、１０２ｂ−２の対は、カード消去部２０とカード印刷部３０の間に配置されており、その両脇に、走行ガイド１０４ａ−２、１０４ｂ−２が配置されている。フィードローラ１０２ａ−３、１０２ｂ−３の対は、走行路上において、カード印刷部３０の後段（カード消去部２０とは逆の方向）に配置されており、その両脇に、走行ガイド１０４ａ−３、１０４ｂ−３が配置されている。また、それぞれのフィードローラ１０２の配置間隔（例えば、フィードローラ１０２ａ−１とフィードローラ１０２ａ−２との間）は、リライトカード４０の長手方向の幅よりも短くすることが望ましい。
【００２７】
なお、カード処理装置１０において、カード消去部２０以外の構成要素（フィードローラ１０２、プレッシャローラ１０３、走行ガイド１０４等）は、既存のリライトカードの印刷処理や消去処理を行う装置と同様のものを適用することができるので、詳しい説明は省略する。また、カード処理装置１０において、フィードローラ１０２、プレッシャローラ１０３、走行ガイド１０４の数や、配置の組み合わせについては、図２、３に示す構成に限定されないものである。
【００２８】
カード印刷部３０は、カード消去部２０により印刷領域４２が消去済（又は、未印刷の状態）のリライトカード４０について、印刷処理を行うものであり、サーマルヘッド３１（印刷ヘッド）及びプラテンローラ３２を有している。なお、カード印刷部３０は、既存のリライトカードを処理するカード処理装置と同様のものを適用することができるので、詳しい説明は省略する。また、プラテンローラ３２は、図示しないローラ駆動部により回転駆動されるものである。
【００２９】
カード消去部２０は、到達したリライトカード４０の印刷領域４２の印刷内容を消去するものであり、センサ２１、消去ヘッド組立体（以下、「Ａｓｓｙ」という）２２及びプラテンローラ２３を有している。
【００３０】
図１は、カード消去部２０の概略縦断面図である。
【００３１】
消去ヘッドＡｓｓｙ２２は、消去ヘッド２２１、２つのブラケット２２２、２２３、２対の円柱形シャフト２２４（２２４ａ−１、２２４ａ−２、２２４ｂ−１、２２４ｂ−２）、１対のスプリング２２５ａ、２２５ｂ、及び１対のカード矯正ローラ２２６ａ、２２６ｂを有する。
【００３２】
消去ヘッド２２１は、Ｕ字型のブラケット２２２の下部分に固着されており、さらにブラケット２２２の両側面には、片側２本ずつで、計４本のシャフト２２４（２２４ａ−１、２２４ａ−２、２２４ｂ−１、２２４ｂ−２）が固着されている。ブラケット２２２は、シャフト２２４ａ−１、２２４ａ−２、２２４ｂ−１、２２４ｂ−２を介して、逆Ｕ字型のブラケット２２３に取り付けられており、ブラケット２２２（消去ヘッド２２１を含む）は、上下方向にずれることができる。
【００３３】
ブラケット２２３の両側の内側には、それぞれシャフト２２４ａ−１、２２４ａ−２、２２４ｂ−１、２２４ｂ−２は嵌合する長孔が設けられており。シャフト２２４ａ−１、２２４ａ−２、２２４ｂ−１、２２４ｂ−２は、その長孔の範囲内で上下方向にずれることが可能な状態でブラケット２２２に取り付けられている。なお、シャフト２２４が四角柱形状等の角柱形状である場合には、シャフト２２４は１対であっても良い。
【００３４】
ブラケット２２２、２２３、シャフト２２４の材質は、特に限定されないが、例えば、鉄、アルミニウム等の金属を用いることができる。
【００３５】
また、ブラケット２２２とブラケット２２３の間には、消去ヘッド２２１をリライトカード４０に押圧するスプリング２２５が配置されている。図１においては、スプリング２２５ａ、２２５ｂは、つるまきばねであるものとして図示しているが、板ばね等他のバネを用いるようにしても良い。また、図１においては、１対のスプリング２２５ａ、２２５ｂを配置しているが、スプリングを配置する数や位置は限定されないものである。
【００３６】
消去ヘッドＡｓｓｙ２２は、図示せぬ消去ヘッド昇降（ＵＰ／ＤＯＷＮ）駆動源（例えば、モータやソレノイドなど）により、昇降可能であり、リライトカード４０の印刷領域４２の内容を消去する際には下降する。消去ヘッドＡｓｓｙ２２全体が下降すると、リライトカード４０は、消去ヘッド２２１とプラテンローラ２３の間にはさまれ、さらに、スプリング２２５ａ、２２５ｂの弾性により、消去ヘッド２２１は、リライトカード４０に押圧される。以下の説明においては、消去ヘッドＡｓｓｙ２２が下降して、リライトカード４０が、消去ヘッド２２１とプラテンローラ２３の間にはさまれた状態になることを「クランプ」と呼ぶ。消去ヘッドＡｓｓｙ２２が、リライトカード４０に対して消去処理を行わない場合には、下降せずクランプしない。
【００３７】
なお、プラテンローラ２３は、図示しないローラ駆動部により回転駆動されるものである。
【００３８】
走行ガイド１０４ａ−１、１０４ｂ−１の方向から見て、消去ヘッド２２１の手前には、リライトカード４０の存在を検知するセンサ２１が配置されており、センサ２１のＯＮ信号（リライトカード４０を検知）をトリガに、カード処理装置１０の制御装置の制御に応じて、上述の図示せぬ消去ヘッド昇降駆動源が駆動され、リライトカード４０の印刷領域４２の内容を消去するために、消去ヘッドＡｓｓｙ２２がクランプする。
【００３９】
ブラケット２２３において、消去ヘッド２２１の両脇に、それぞれカード矯正ローラ２２６ａ、２２６ｂが回転自在に結合されている。カード矯正ローラ２２６ａ、２２６ｂは、消去ヘッドＡｓｓｙ２２がクランプした（消去ヘッド２２１とプラテンローラ２３の間にリライトカード４０が挟まれた）時、消去ヘッド２２１の両脇で、リライトカード４０をプラテンローラ２３との間で挟み込んで押圧し、変形を一時的に矯正し、消去ヘッド２２１が正確にリライトカード４０と接触し、エアギャップがなくなるようにする。
【００４０】
消去ヘッドＡｓｓｙ２２がクランプした（消去ヘッド２２１とプラテンローラ２３の間にリライトカード４０が挟まれた）時、消去ヘッド２２１に対向しているプラテンローラ２３との幅（隙間）（以下、「Ｃ」と呼ぶ）が、リライトカード４０の厚さとなるように設定することが望ましい。なお、Ｃは、リライトカード４０の厚さ以上の幅に設定するようにしても良い。矯正ローラ２２６ａ、２２６ｂについて、少なくとも、消去ヘッド２２１がリライトカード４０に消去処理を行っている領域について、平らとなるようにする大きさや位置等が適用されていることが望ましい。
【００４１】
カード矯正ローラ２２６ａ、２２６ｂの材質は、特に限定されないものであるが、例えば、プラスチック等の合成樹脂の材質を適用することができる。
【００４２】
（Ａ−２）第１の実施形態の動作
次に、以上のような構成を有する第１の実施形態のカード処理装置１０の動作を説明する。
【００４３】
ユーザから投入されたリライトカード４０が、走行ガイド１０４ａ−１、１０４ｂ−３に沿って走行路に入り、フィードローラ１０２ａ−１、１０２ｂ−１の位置まで達すると、フィードローラ１０２ａ−１、１０２ｂ−１及びプレッシャローラ１０３ａ−１、１０３ｂ−１により、カード消去部２０に送られる。
【００４４】
リライトカード４０の先端がセンサ２１により検知されて、カード消去部２０内に到達すると、図示せぬ消去ヘッド昇降駆動源により、消去ヘッドＡｓｓｙ２２とプラテンローラ２３との間で、リライトカード４０をクランプする。また、この時、ブラケット２２３に回転結合されたカード矯正ローラ２２６ａ、２２６ｂとプラテンローラ２３との間で、リライトカード４０が押圧されて変形していたとしてもリライトカードは平らに矯正される。
【００４５】
図５は、矯正ローラ２２６ａ、２２６ｂとプラテンローラ２３との間で、変形したリライトカードが平らに矯正される様子について示した説明図である。
【００４６】
なお、図５（ａ）は凸型に変形したリライトカード４０の形状を矯正する場合の例について示しており、図５（ｂ）は、凹型に変形したリライトカード４０の形状を矯正する場合の例について示している。
【００４７】
図５において、２点鎖線で示されたリライトカード４０Ａの部分は、矯正されない場合のリライトカード４０の部分の形状、すなわち、カード矯正ローラ２２６ａ、２２６ｂとプラテンローラ２３との間にはさまれていない場合の形状を表しており、実線で示されたリライトカード４０Ｂの部分は、矯正された場合のリライトカード４０の部分の形状、すなわち、カード矯正ローラ２２６ａ、２２６ｂとプラテンローラ２３との間にはさまれている部分の形状を表している。
【００４８】
図５に示すように、リライトカード４０は、カード矯正ローラ２２６ａ、２２６ｂとプラテンローラ２３との間にはさまれている部分、すなわち、少なくとも、消去ヘッド２２１とリライトカード４０が当接する部分については、平らな形状に矯正され、消去ヘッド２２１がリライトカード４０と当接すると、消去ヘッド２２１を押圧しているスプリング２２５の力によりリライトカード４０へ消去ヘッド２２１が加圧され消去が行われる。
【００４９】
リライトカード４０は、印刷領域４２の印刷内容の消去が完了すると、フィードローラ１０２ａ−２、１０２ｂ−２及びプレッシャローラ１０３ａ−２、１０３ｂ−２の位置に達し、カード印刷部３０に送られる。カード印刷部３０では、サーマルヘッド３１とプラテンローラ３２との間にリライトカード４０がはさまれ、リライトカード４０の印刷領域４２に新たな印刷内容が印刷される。
【００５０】
リライトカード４０は、印刷領域４２の印刷が完了すると、フィードローラ１０２ａ−３、１０２ｂ−３及びプレッシャローラ１０３ａ−３、１０３ｂ−３の位置に達し、今度は逆に、走行路で逆の方向に向かって運搬され排出動作が行われて処理が完了する。
【００５１】
（Ａ−３）第１の実施形態の効果
第１の実施形態によれば、以下のような効果を奏することができる。
【００５２】
矯正ローラ２２６ａ、２２６ｂを設けたことにより、変形したカードに消去処理を行う際にカードの変形を矯正し、消去ヘッド２２１とリライトカード４０の間にエアギャップ（空間）が生じることが無く、消去ヘッド２２１がリライトカードにきちんと面で接触するため、正確に消去処理を行うことができ、消え残りが少なくなるといった効果を奏する。
【００５３】
また、カード矯正ローラ２２６ａ、２２６ｂは、特許文献１に記載のカード用プリンタと異なり、リライトカード４０全体にカールを付与するほどの力を加える必要はなく、消去ヘッド２２１がリライトカード４０に消去処理を行っている領域だけ、平らな形状に矯正するだけで良いので、リライトカード４０自体や、リライトカード４０に内蔵された情報記録媒体（ＩＣタグ等）を破損することを防止することができる。
【００５４】
さらに、消去ヘッド２２１を、カード矯正ローラ２２６ａ、２２６ｂとは異なるブラケット２２２にとりつけて上下方向にずれることにより、消去ヘッド２２１がリライトカード４０を押圧する力は、スプリング２２５ａ、２２５ｂの弾性に応じた力となり、カード矯正ローラ２２６ａ、２２６ｂがリライトカード４０を押圧する力は、消去ヘッドＡｓｓｙ２２を昇降させる駆動源の力に応じた力となっている。これにより、カード矯正ローラ２２６ａ、２２６ｂにより、リライトカード４０には変形を矯正する力で押圧しつつ、消去ヘッド２２１は、消去に必要な力だけをリライトカード４０に加えることができるので、リライトカード４０の変形を矯正しつつ、消去ヘッド２２１によりリライトカード４０を破損させることを防止することができる。
【００５５】
（Ｂ）第２の実施形態
以下、本発明によるカード処理装置の第２の実施形態を、図面を参照しながら詳述する。
【００５６】
（Ｂ−１）第２の実施形態の構成
図６は、第２の実施形態のカード消去部２０Ａの概略縦断面図であり、図７は、カード消去部２０Ａを構成するカード処理装置１０Ａの概略平面図である。
【００５７】
第２の実施形態のカード処理装置１０Ａは、第１の実施形態のカード消去部２０において、カード消去部２０を、カード消去部２０Ａに置き換えただけである。また、カード消去部２０Ａは、第１の実施形態のカード消去部２０Ａにおいて、消去ヘッドＡｓｓｙ２２を消去ヘッドＡｓｓｙ２２Ａに置き換えただけであるため、消去ヘッドＡｓｓｙ２２Ａ以外の構成についての説明は省略する。
【００５８】
消去ヘッドＡｓｓｙ２２Ａは、第１の実施形態の消去ヘッドＡｓｓｙ２２に、いくつかの構成要素を付加したものであるので、以下の説明においては、消去ヘッドＡｓｓｙ２２に含まれていない構成要素のみについて説明する。
【００５９】
消去ヘッドＡｓｓｙ２２Ａでは、ブラケット２２３を覆うように逆Ｕ字型のガイドブラケット２２７が取り付けられており、ブラケット２２３の両脇の部分（ガイド部２２７ａ、２２７ｂ）が、リライトカード４０の位置を矯正する１対のガイドとして機能するように、ガイド部２２７ａ、２２７ｂは、それぞれ、消去ヘッド２２１の両脇に位置している。
【００６０】
図７に示すように、ガイド部２２７ａ、２２７ｂの間の幅は、消去ヘッド２２１を挟む位置で一番せばまっており、走行ガイド１０４ａ−１、１０４ｂ−１の方向、及び、走行ガイド１０４ａ−２、１０４ｂ−２の方向に向かって徐徐に幅が広くなるテーパが形成されている。これにより、リライトカード４０が多少ずれた位置でガイド部２２７ａ、２２７ｂの間に侵入してきたとしても、ガイド部２２７ａ、２２７ｂに設けられたテーパにより、リライトカード４０の位置を、正確な位置に矯正することができる。
【００６１】
なお、以下の説明では、ガイド部２２７ａ、２２７ｂにおいて、間の幅が一番せばまっている部分の幅、すなわち消去ヘッド２２１を挟む位置の幅を、「ガイド幅」と呼ぶものとする。なお、ガイド部２２７ａ、２２７ｂのガイド幅は、図６に示す「Ｆ」の幅となる。
【００６２】
ガイド２１０ａの内側の面（消去ヘッド２２１側の面）の位置と、消去ヘッド２２１の端の位置（消去ヘッド２２１において、ガイド２１０ａが配置されている側の端の位置）との幅（以下、「幅Ｅ」と呼ぶものとする）は、幅Ｇ２（図４参照）と一致するように設定されていることが望ましい。
【００６３】
また、幅Ｆは、リライトカード幅Ｇ３（図４参照）より少し（例えば、０．５ｍｍ程度）大きな幅となっており、リライトカード幅Ｇ３と、幅Ｆの差分（幅Ｆ−幅Ｇ３）は、幅Ｇ１（図４参照）より小さい値となっていることが望ましい。なお、幅Ｅと幅Ｇ２とが一致しない場合には、幅Ｆと幅Ｇ３の差分と、幅Ｅと幅Ｇ２の差分の合計が幅Ｇ１より小さい値となるように設定されていることが望ましい。
【００６４】
図６に示すように、ガイドブラケット２２７の上部分には、四角筒形状の留具２３２の側面が固着されており、留具２３２の四角形の孔には、四角柱形状のシャフト２３１が貫通している。シャフト２３１の両端は、逆Ｕ字型のブラケット２３０両側の内面にそれぞれ固着している。そして、ブラケット２３０の内面には、四角筒形状のストッパー２３３ａ、２３３ｂが固着されており、留具２３２と同様に、それぞれの孔にはシャフト２３１が貫通している。
【００６５】
ブラケット２３０、シャフト２３１、留具２３２、ストッパー２３３ａ、２３３ｂ、ガイドブラケット２２７の材質は、特に限定されないものであるが、例えば、ブラケット２３０、ガイドブラケット２２７、留具２３２、ストッパー２３３ａ、２３３ｂの材質としては、上述のブラケット２２２、２２３と同様の材質を適用することができ、シャフト２３１の材質としては、上述のシャフト２２４と同様の材質を適用することができる。
【００６６】
留具２３２は、シャフト２３１上で、ストッパー２３３ａとストッパー２３３ｂの間に挟みこまれた状態となっており、ストッパー２３３ａとストッパー２３３ｂとの間の幅と、留具２３２の幅の差分の幅（例えば、１ｍｍ程度）だけ、ガイドブラケット２２７より下の部分が左右に動くことができる。このように、消去ヘッドＡｓｓｙ２２Ａは、左右に移動できるように自由度を持っている。
【００６７】
なお、留具２３２やシャフト２３１の数は限定されないものであり、複数取り付けて、ガイドブラケット２２７とブラケット２３０との間の取り付けの安定性を高めるようにしても良い。また、留具２３２、ストッパー２３３ａ、２３３ｂの形状は、四角筒ではなく円筒や他の多角筒の形状であっても良く限定されないものである。同様に、シャフト２３１の形状も、留具２３２、ストッパー２３３ａ、２３３ｂの孔に合った形状であれば限定されないものである。
【００６８】
また、消去ヘッドＡｓｓｙ２２Ａも第１の実施形態の消去ヘッドＡｓｓｙ２２と同様に、図示せぬ消去ヘッド昇降駆動源により、昇降可能であるが、その消去ヘッド昇降駆動源は、ブラケット２３０に取り付けられている。
【００６９】
走行ガイド１０４ａ−１、１０４ｂ−１間のガイド幅は、リライトカード４０の幅Ｇ３より大きな幅となっており、消去ヘッドＡｓｓｙ２２Ａの左右の自由度量は、リライトカード４０の幅Ｇ３と、走行ガイド１０４ａ−１、１０４ｂ−１の差分の幅（以下、「Ｈ」と呼ぶものとする）（図７参照）以上に設定されていることが望ましい。
【００７０】
（Ｂ−２）第２の実施形態の動作
次に、以上のような構成を有する第２の実施形態のカード処理装置１０Ａの動作を説明する。
【００７１】
カード処理装置１０Ａのカード処理に係る動作は、カード消去部２０Ａの動作以外については、第１の実施形態と同様であるため、詳しい説明を省略する。
【００７２】
消去ヘッドＡｓｓｙ２２Ａのクランプ動作時、クランプが開始されると消去ヘッド２２１がリライトカードに接触する前に、規制するガイド部２２７ａ、２２７ｂによりリライトカード４０はガイド部２２７ａ、２２７ｂの間に納まる。ガイド部２２７ａ、２２７ｂの間に納まった状態でさらにクランプすると、消去ヘッド２２１がリライトカード４０に当接して消去を行う。
【００７３】
また、走行ガイド１０４ａ−１、１０４ｂ−１内でリライトカード４０の位置がずれて走行したとても、消去ヘッドＡｓｓｙ２２は左右に動作する自由度があるため、リライトカード４０のずれに対応して、消去ヘッドＡｓｓｙ２２Ａの位置がずれることにより、クランプ時におけるリライトカード４０とガイド部２２７ａ、２２７ｂの挟み込み動作不良の発生は回避される。
【００７４】
（Ｂ−３）第２の実施形態の効果
第２の実施形態によれば、第１の実施形態の効果に加えて、以下のような効果を奏することができる。
【００７５】
ブラケット２２３の両脇にリライトカード４０の幅を規制するガイド部２２７ａ、２２７ｂを設けることにより、消去ヘッド２２１とリライトカード４０の位置関係のずれを最小に抑えることが可能になり、ずれ量は印刷領域４２と磁気ストライプ４１の間の寸法（幅Ｇ１）以下と設定が可能になる。
【００７６】
また、消去ヘッド２２１がリライトカード４０に接触する前に、ガイド部２２７ａ、２２７ｂによりリライトカード４０と消去ヘッドＡｓｓｙ２２Ａの位置関係を最適位置に矯正することにより、消去ヘッド２２１が、リライトカード４０の磁気ストライプ４１に接触することを回避でき、磁気ストライプ４１の破損・溶融を防止することが可能となる。
【００７７】
なお、従来のカード処理装置では、リライトカード４０の印刷領域４２の周辺に、磁気ストライプも存在している場合には、消去ヘッドが磁気ストライプ上に接触してしまい、磁気ストライプを破損・溶融させる恐れがあったが、第２の実施形態においてはそのような問題は発生しない。
【００７８】
（Ｃ）第３の実施形態
以下、本発明によるカード処理装置の第３の実施形態を、図面を参照しながら詳述する。
【００７９】
（Ｃ−１）第３の実施形態の構成
第３の実施形態のカード処理装置１０Ｂは、第２の実施形態のカード消去部２０Ａにおいて、カード消去部２０Ａを、カード消去部２０Ｂに置き換えただけである。また、カード消去部２０Ｂは、第２の実施形態のカード消去部２０Ａにおいて、消去ヘッドＡｓｓｙ２２Ａを消去ヘッドＡｓｓｙ２２Ｂに置き換えただけであるため、消去ヘッドＡｓｓｙ２２Ｂ以外の構成についての説明は省略する。
【００８０】
第３の実施形態の消去ヘッドＡｓｓｙ２２Ｂは、ガイドブラケット２２７の代わりに、後述するフランジ２２８ａ、２２８ｂが付加されていること以外は、第２の実施形態の消去ヘッドＡｓｓｙ２２Ａの構成とほぼ同様であるので、フランジ２２８ａ、２２８ｂ以外の構成については、詳しい説明を省略する。
【００８１】
図８は、第３の実施形態のカード消去部２０Ｂの概略縦断面図である。
【００８２】
第２の実施形態では、ガイド部２２７ａ、２２７ｂにより、リライトカード４０における印刷領域４２と、消去ヘッド２２１との位置決めを行っていたが、第３の実施形態の消去ヘッドＡｓｓｙ２２Ｂでは、ガイド部２２７ａ、２２７ｂの代わりに、カード矯正ローラ２２６ａ、２２６ｂの外側（消去ヘッド２２１とは反対方向の側）に、それぞれフランジ２２８ａ、２２８ｂを回転結合（回転自在に結合するようにしても良い）するように付加している点で異なっている。フランジ２２８ａ、２２８ｂには、図８に示すように、外側（消去ヘッド２２１とは反対方向の側）に向かって徐徐に外径が広くなるテーパが形成されており、そのテーパ部分が、上面から見ると第２の実施形態のガイド部２２７ａ、２２７ｂと同様の形状となり、ガイド部２２７ａ、２２７ｂと同様の機能を果たす。
【００８３】
フランジ２２８ａ、２２８ｂの材質は限定されないものであるが、例えば、カード矯正ローラ２２６ａ、２２６ｂと同様の材質を適用することができる。
【００８４】
フランジ２２８ａの内側の面（最も外径が狭い部分）の位置と、消去ヘッド２２１の端の位置（消去ヘッド２２１において、フランジ２２８ａが配置されている側の端の位置）との距離、すなわち、走行路において、フランジ２２８ａと消去ヘッド２２１の端との幅（以下、「Ｊ」と呼ぶものとする）（図８参照）は、第２の実施形態の幅Ｅ（図６参照）と同様に、リライトカード４０の端から印刷領域４２までの幅Ｇ２（図４参照）と一致するように設定されていることが望ましい。
【００８５】
また、フランジ２２８ａ、２２８ｂの内側の面（最も外径が狭い部分）の間の幅寸法（以下、「幅Ｋ」と呼ぶものとする）（図８参照）は、第２の実施形態の幅Ｆ（図６参照）と同様に、リライトカード幅Ｇ３（図４参照）より少し（例えば、０．５ｍｍ程度）大きな幅となっており、リライトカード幅Ｇ３と幅Ｋの差分（幅Ｋ−幅Ｇ３）は、幅Ｇ１（図４参照）より小さい値となっていることが望ましい。なお、幅Ｊが幅Ｇ２と一致しない場合には、幅Ｋと幅Ｇ３の差分と、幅Ｊと幅Ｇ２の差分の合計が幅Ｇ１より小さい値となるように設定されていることが望ましい。
【００８６】
また、消去ヘッドＡｓｓｙ２２Ｂは、第２の実施形態の消去ヘッドＡｓｓｙ２２Ａと同様に左右に、移動できるように自由度を持っており、消去ヘッドＡｓｓｙ２２Ｂの左右の自由度量は、リライトカード４０の幅Ｇ３と、走行ガイド１０４ａ−１、１０４ｂ−１の差分の幅Ｈ（図７参照）以上に設定されていることが望ましい。なお、第３の実施形態の消去ヘッドＡｓｓｙ２２Ｂでは、第２の実施形態のようにガイドブラケット２２７が配置されていないため、ブラケット２２３に、直接留具２３２が付けられている。
【００８７】
（Ｃ−２）第３の実施形態の動作
次に、以上のような構成を有する第３の実施形態のカード処理装置１０Ｂの動作を説明する。
【００８８】
カード処理装置１０Ｂのカード処理に係る動作は、カード消去部２０Ｂの動作以外については、第１及び第２の実施形態と同様であるため、詳しい説明を省略する。
【００８９】
消去ヘッドＡｓｓｙ２２Ｂのクランプ動作時、クランプが開始されると消去ヘッド２２１がリライトカードに接触する前に、規制するフランジ２２８ａ、２２８ｂによりリライトカード４０が走行する位置は、カード矯正ローラ２２６ａ、２２６ｂに間に収まるように誘導される。カード矯正ローラ２２６ａ、２２６ｂの間に納まった状態でさらにクランプすると、消去ヘッド２２１がリライトカード４０に当接して消去を行う。
【００９０】
また、走行ガイド１０４ａ−１、１０４ｂ−１内でリライトカード４０がずれ走行したとても、消去ヘッドＡｓｓｙ２２は左右に動作する自由度があるため、リライトカード４０のずれに対応して、消去ヘッドＡｓｓｙ２２Ｂの位置がずれることにより、クランプ時におけるリライトカード４０とカード矯正ローラ２２６ａ、２２６ｂの挟み込み動作不良の発生は回避できる。
【００９１】
（Ｃ−３）第３の実施形態の効果
第３の実施形態によれば、第１の実施形態の効果に加えて、以下のような効果を奏することができる。
【００９２】
ブラケット２２３の両脇にリライトカード４０の走行する位置及び方向を誘導する、フランジ２２８ａ、２２８ｂの付いたカード矯正ローラ２２６ａ、２２６ｂを設けることにより、消去ヘッドとリライトカード４０の位置関係のずれを最小に抑えることが可能になり、第２の実施形態と同様に、ずれ量は印刷領域４２と磁気ストライプ４１の間の寸法（幅Ｇ１）以下と設定が可能になる。
【００９３】
さらに、消去ヘッド２２１がリライトカード４０に接触する前に、フランジ２２８ａ、２２８ｂによりリライトカード４０と消去ヘッドＡｓｓｙ２２Ａの位置関係を最適位置に矯正することにより、第２の実施形態と同様に、消去ヘッド２２１が、リライトカード４０の磁気ストライプ４１に接触することを回避でき、磁気ストライプ４１の破損・溶融を防止すること等が可能となる。
【００９４】
（Ｄ）第４の実施形態
以下、本発明によるカード処理装置の第４の実施形態を、図面を参照しながら詳述する。
【００９５】
（Ｄ−１）第４の実施形態の構成
第４の実施形態のカード処理装置１０Ｃは、第２の実施形態において、カード消去部２０Ａをカード消去部２０Ｃに置き換えただけである。また、カード消去部２０Ｃは、第２の実施形態のカード消去部２０Ａにおいて、消去ヘッドＡｓｓｙ２２Ａを消去ヘッドＡｓｓｙ２２Ｃに置き換えただけであるため、消去ヘッドＡｓｓｙ２２Ｃ以外の構成についての説明は省略する。
【００９６】
また、消去ヘッドＡｓｓｙ２２Ｃは、消去ヘッドＡｓｓｙ２２Ａにおいてガイドブラケット２２７を、後述する２段ガイドブラケット２２９に置き換えただけであるため、２段ガイドブラケット２２９以外の構成についての詳しい説明を省略する。
【００９７】
図９は、第４の実施形態のカード消去部２０Ｃの概略縦断面図である。また、図１０は、２段ガイドブラケット２２９の正面図であり、図１１は、２段ガイドブラケット２２９の平面図である。
【００９８】
２段ガイドブラケット２２９は、第２の実施形態のガイドブラケット２２７と同様に逆Ｕ字型の形状であるが、ガイド部２２９ａ、２２９ｂは、ガイド部２２７ａ、２２７ｂよりも長く、さらに高さによってガイド幅に段差が付いており、２つのガイド幅のうち下側（先端側）のガイド幅が広くなっている。以下の説明では、ガイド部２２９ａ、２２９ｂにおいて、狭い方（上側）のガイド幅を「幅Ｍ」（図１０参照）と呼び、広い方（下側）のガイド幅を「幅Ｌ」（図１０参照）と呼ぶものとする。なお、幅Ｍは第２の実施形態のガイド部２２７ａ、２２７ｂのガイド幅（幅Ｆ）と同じ幅であることが望ましく、幅Ｌは、走行ガイド１０４ａ−１、１０４ｂ−１のガイド幅と同じであることが望ましい。
【００９９】
２段ガイドブラケット２２９には、第２の実施形態のガイドブラケット２２７と同様に、走行ガイド１０４ａ−１、１０４ｂ−１の方向、及び、走行ガイド１０４ａ−２、１０４ｂ−２の方向に向かって、ガイド部２２９ａ、２２９ｂの間の幅が、徐徐に広くなるテーパが形成されているが、２段ガイドブラケット２２９には、図１０、図１１に示すように、ガイド幅Ｍの部分と、ガイド幅Ｌの部分のそれぞれに、第２の実施形態のガイドブラケット２２７と同様のテーパが形成されている。
【０１００】
２段ガイドブラケット２２９の材質は、特に限定されないものであるが、例えば、上述のガイドブラケット２２７と同様の材質を適用することができる。
【０１０１】
（Ｄ−２）第４の実施形態の動作
次に、以上のような構成を有する第４の実施形態のカード処理装置１０Ｃの動作を説明する。
【０１０２】
カード処理装置１０Ｃのカード処理に係る動作は、カード消去部２０Ｃの動作以外については、第２の実施形態と同様であるため、詳しい説明を省略する。
【０１０３】
図１２は、消去ヘッドＡｓｓｙ２２Ｃがクランプしている場合としていない場合の状態を示した説明図である。
【０１０４】
図１２（ａ）は、消去ヘッドＡｓｓｙ２２Ｃがクランプしていない状態を示しており、図１２（ｂ）は、消去ヘッドＡｓｓｙ２２Ｃがクランプしている状態について示している。
【０１０５】
消去ヘッドＡｓｓｙ２２Ｃがクランプしていない時は、図１２（ａ）に示すように、リライトカード４０の走行路の高さにおけるガイド部２２９ａ、２２９ｂのガイド幅が、広い方のガイド幅Ｌになり、ガイド部２２９ａ、２２９ｂは、走行路上でリライトカード４０が正確に走行させる走行ガイドとして機能する。すなわち、消去ヘッド２２１がクランプしていない時は、ガイド部２２９ａ、２２９ｂは、走行ガイド１０４ａ−１、１０４ｂ−１と同様の機能を果たす。
【０１０６】
そして、消去ヘッドＡｓｓｙ２２Ｃがクランプしている時は、図１２（ｂ）に示すように、リライトカード４０の走行路の高さにおけるガイド部２２９ａ、２２９ｂのガイド幅が、狭い方のガイド幅Ｍに変化し、ガイド部２２９ａ、２２９ｂにより、第２の実施形態のガイド部２２７ａ、２２７ｂと同様に、消去ヘッド２２１とリライトカード４０との位置決めを行うガイドとして機能する。
【０１０７】
（Ｄ−３）第４の実施形態の効果
第４の実施形態によれば、以下のような効果を奏することができる。
【０１０８】
第４の実施形態では、第２の実施形態におけるガイド部２２７ａ、２２７ｂを、ガイド部２２９ａ、２２９ｂに置き換えることにより、消去ヘッドＡｓｓｙ２２Ｃがクランプしていない時に、ガイド部２２９ａ、２２９ｂによるガイド幅は広い方の幅Ｌとなり、走行ガイドとして機能し、消去動作を行わない処理において、ジャム（カード詰まり）の発生を低減でき、安定した運搬性能を確保できるといった効果が期待できる。さらに、消去ヘッドＡｓｓｙ２２Ｃがクランプしている時は、２段ガイド２２９ａ、２２９によるガイド幅は狭い方の幅Ｍとなるため、消去ヘッド２２１とリライトカード４０との位置決めを行うガイドとして機能し、第２の実施形態と同様の効果も奏することができる。
【０１０９】
（Ｅ）他の実施形態
本発明は、上記の各実施形態に限定されるものではなく、以下に例示するような変形実施形態も挙げることができる。
【０１１０】
（Ｅ−１）上記の各実施形態の消去ヘッドＡｓｓｙにおいて、消去ヘッドを印刷用のヘッド（サーマルヘッド）に置き換えて、印刷ヘッドユニットとして構築するようにしても良い。これにより、カードへの印刷についても、上記の各実施形態と同様にカードを破損せずに、正確に行うことができる等の効果を奏することができる。
【０１１１】
また、上記の角実施形態のカード処理装置では、カード処理装置は、印刷内容の消去及び印刷を行う装置として説明したが、消去又は印刷のみを行う装置として構築するようにしても良い。すなわち、少なくとも、消去ヘッドＡｓｓｙ、又は、上述の印刷ヘッドユニットのいずれかを有する装置として構築するようにしても良い。
【０１１２】
（Ｅ−２）上記の各実施形態では、本発明のカード処理装置において、印刷ヘッド及び消去ヘッドは、熱を用いてカードの印刷領域の処理を行うものであったが、印刷方式や消去方式はこれに限定されるものではなく、インクを用いた処理等他の方式であっても良い。
【０１１３】
また、カード処理装置において、カードに対する処理は、印刷領域に係る処理だけでなく、他のカードに対する処理（例えば、磁気ストライプの情報の読み込みや書込み等）であっても良い。本発明のカード処理装置において、印刷領域に係る処理以外の処理を適用する場合、上記の各実施形態の消去ヘッドＡｓｓｙにおける消去ヘッドを、所定の処理（例えば、磁気ストライプの情報の読み込みや書込み等）を行うヘッドに置き換えるようにして構築しても良い。
【０１１４】
（Ｅ−３）上記の各実施形態では、上述の図４に示すような、印刷領域が、リライトカード全体よりも狭いものを用いて説明したが、変形を矯正ローラと消去ヘッドの位置をずらすことにより、全面印刷領域のカードにも適用するようにしても良い。
【０１１５】
また、上記の各実施形態において、カード処理装置の処理対象となるカードとして、磁気ストライプと印刷領域が同じ面に存在するカードを挙げているが、印刷領域と同じ面に磁気ストライプの無いカードとしても良い。
【０１１６】
さらに、上記の各実施形態のカード処理装置では、情報記録媒体（ＩＣタグや磁気ストライプ等）を備えたカードを処理する例について示したが、情報記録媒体（ＩＣタグや磁気ストライプ等）を備えず、印刷領域だけを備えたカードに適用するようにしても良い。さらに、上記の各実施形態のカード処理装置では、処理対象のカードをリライトカードとして説明したが、書き換え不可能（１回のみ書込み可能）なカードを適用するようにしても良い。
【０１１７】
このように、本発明のカード処理装置において、処理対象となるカードはリライトカードに限定されないものである。
【０１１８】
（Ｅ−４）第２〜第４の実施形態においては、消去ヘッドＡｓｓｙは、図６、８、９に示すように、左右に動作する自由度を備えているが、この自由度を持たないようにしても良い。すなわち、第１の実施形態と同様に、ブラケット２３０、シャフト２３１、留具２３２、ストッパー２３３ａ、２３３ｂ等を省略するようにしても良い。
【０１１９】
（Ｅ−５）上記の各実施形態において、消去ヘッドＡｓｓｙは、カード矯正ローラを有するものとして説明しているが、第２及び第４の実施形態の消去ヘッドＡｓｓｙについては、カード矯正ローラを省略するようにしても良い。
【符号の説明】
【０１２０】
４０…リライトカード、４１…磁気ストライプ、４２…印刷領域、１０、１０Ａ、１０Ｂ、１０Ｃ…カード処理装置、１０２、１０２ａ−１〜１０２ａ−３、１０２ｂ−１〜１０２ｂ−３…フィードローラ、１０３、１０３ａ−１〜１０３ａ−３、１０３ｂ−１〜１０３ｂ−３…プレッシャローラ、１０４、１０４ａ−１〜１０４ａ−３、１０４ｂ−１〜１０４ｂ−３…走行ガイド、２０、２０Ａ、２０Ｂ、２０Ｃ…カード消去部、２１…センサ、２２、２２Ａ、２２Ｂ、２２Ｃ…消去ヘッドＡｓｓｙ、２３…プラテンローラ、２２１…消去ヘッド、２２２、２２３…ブラケット、２２４、２２４ａ−１、２２４ａ−２、２２４ｂ−１、２２４ｂ−２…シャフト、２２５ａ、２２５ｂ…スプリング、２２６ａ、２２６ｂ…カード矯正ローラ、２２７…ガイドブラケット、２２７ａ、２２７ｂ…ガイド部、２３３ａ、２３３ｂ…ストッパー、２２８ａ、２２８ｂ…フランジ、２２９…２段ガイドブラケット、２２９ａ、２２９ｂ…ガイド部、２３０…ブラケット、２３１…シャフト、２３２…留具。
【図１】
2011059797.tif 000003
【図２】
2011059797.tif 000004
【図３】
2011059797.tif 000005
【図４】
2011059797.tif 000006
【図５】
2011059797.tif 000007
【図６】
2011059797.tif 000008
【図７】
2011059797.tif 000009
【図８】
2011059797.tif 000010
【図９】
2011059797.tif 000011
【図１０】
2011059797.tif 000012
【図１１】
2011059797.tif 000013
【図１２】
2011059797.tif 000014